(57)【要約】【課題】スマートフォン等の携帯機器で簡易に複数人が共聴することを可能とする録音再生装置及び共聴システムを提供する。【解決手段】録音再生装置１０は、Ｗｉ−Ｆｉモジュールを備え、複数のスマートフォン１２ａ，１２ｂ，１２ｃ等とＷｉ−Ｆｉ接続する。録音再生装置１０は、マスタ装置として機能するスマートフォン１２ａからのコマンドに応じてオーディオ信号を再生して無線送信する。録音再生装置１０は、スレーブ装置として機能するスマートフォン１２ｂ，１２ｃからのコマンドに応じ、再生しているオーディオ信号をスマートフォン１２ｂ，１２ｃにも無線送信する。【選択図】図１
2019215579.tif 000002
【特許請求の範囲】
【請求項１】
携帯機器であるマスタ装置及び携帯機器であるスレーブ装置と無線通信を行う無線ＬＡＮモジュールと、
複数のトラックを個別に録音して記録媒体に記録する録音手段と、
前記マスタ装置からのコマンドに応じて、前記記録媒体に記録された複数のトラックを含むオーディオ信号のうちの第１のトラックを再生して前記マスタ装置に無線送信し、前記第１のトラックを再生している間に、前記スレーブ装置からのコマンドに応じて前記オーディオ信号のうち前記第１のトラックとは異なる第２のトラックを再生して前記スレーブ装置に無線送信する処理手段と、
を備えることを特徴とする無線ＬＡＮ機能を備えた録音再生装置。
【請求項２】
請求項１記載の無線ＬＡＮ機能を備えた録音再生装置において、
前記処理手段は、前記スレーブ装置からのコマンドが再生開始コマンドである場合に、前記マスタ装置からのコマンドに応じて前記オーディオ信号が再生され無線送信されているときに前記オーディオ信号を前記スレーブ装置に無線送信する
ことを特徴とする無線ＬＡＮ機能を備えた録音再生装置。
【請求項３】
請求項１，２のいずれかに記載の無線ＬＡＮ機能を備えた録音再生装置において、
前記処理手段は、前記マスタ装置からのコマンドが再生停止コマンドである場合に、前記オーディオ信号の再生を停止し、前記スレーブ装置からのコマンドが再生停止コマンドである場合でもそのコマンドを無効とする
ことを特徴とする無線ＬＡＮ機能を備えた録音再生装置。
【請求項４】
請求項１〜３のいずれかに記載の無線ＬＡＮ機能を備えた録音再生装置において、
前記処理手段は、前記マスタ装置からのコマンドに応じて記録媒体に記録された３トラック以上のオーディオ信号を再生して無線送信する
ことを特徴とする無線ＬＡＮ機能を備えた録音再生装置。
【請求項５】
録音再生装置と、携帯機器であるマスタ装置と、携帯機器であるスレーブ装置からなる共聴システムであって、
前記録音再生装置は、
前記マスタ装置及び前記スレーブ装置と無線通信を行う無線ＬＡＮモジュールと、
複数のトラックを個別に録音して記録媒体に記録する録音手段と、
前記マスタ装置からのコマンドに応じて、前記記録媒体に記録された複数のトラックを含むオーディオ信号のうちの第１のトラックを再生して前記マスタ装置に無線送信し、前記第１のトラックを再生している間に、前記スレーブ装置からのコマンドに応じて前記オーディオ信号のうち前記第１のトラックとは異なる第２のトラックを再生して前記スレーブ装置に無線送信する処理手段と、
を備え、
前記マスタ装置及び前記スレーブ装置は、それぞれ、
マスタ装置であるかスレーブ装置であるかの識別情報を送信する送信手段と、
前記録音再生装置から無線送信された前記オーディオ信号を受信して再生する再生手段と、
を備えることを特徴とする共聴システム。
【発明の詳細な説明】
【技術分野】
【０００１】
本発明は録音再生装置に関し、特に無線ＬＡＮ機能を備えた録音再生装置及びこれを用いた共聴システムに関する。
【背景技術】
【０００２】
従来から、一つの音楽プレーヤを複数人で共用して音楽を共聴する技術が提案されている。
【０００３】
特許文献１には、マスタ装置（ポータブルメディアプレーヤ）を中心として、無線接続される複数のスレーブ装置をグループ化し、音楽や映像等のメディアコンテンツを共有化するシステムが記載されている。
【０００４】
特許文献２には、２台のポータブルオーディオ再生装置を有線または無線で接続し、一方をマスタ装置、他方をスレーブ装置として位置づけて、それぞれが保持する音楽コンテンツを共有することが記載されている。
【０００５】
特許文献３には、第１通信装置で再生されるオーディオ信号を別の通信装置に送信し、当該オーディオ信号を別の通信装置で再生するシステムが記載されている。
【先行技術文献】
【特許文献】
【０００６】
【特許文献１】特開２００８−１７６３２０号公報
【特許文献２】特開２００８−１２２７３８号公報
【特許文献３】特開２０１２−２３１５３０号公報
【発明の概要】
【発明が解決しようとする課題】
【０００７】
ところで、近年においては、携帯機器、特にスマートフォンの普及がめざましく、音楽コンテンツを各人のスマートフォンで共聴したいと欲するニーズが高まっている。
【０００８】
特許文献１，２では、複数のスマートフォンの一台をマスタ装置とし、他をスレーブ装置として音楽コンテンツを共有することになるが、より高音質・高機能の再生装置に格納されている音楽コンテンツを共聴したいとのニーズに対応できない問題がある。
【０００９】
特許文献３では、別の通信装置が介在するシステムであって、簡易かつ手軽に共聴したいとのニーズに対応できない問題がある。
【００１０】
さらに、複数人で同一の録音再生装置に格納されている音楽コンテンツを共聴する場合でも、各人が聴きたいパートが互いに異なる場合もあり得るが、従来技術では十分に対応できない問題もある。
【００１１】
本発明は、上記従来技術の有する課題に鑑みされたものであり、その目的は、スマートフォン等の携帯機器で簡易に複数人が共聴することを可能とする録音再生装置及び共聴システムを提供することにある。
【課題を解決するための手段】
【００１２】
本発明は、携帯機器であるマスタ装置及び携帯機器であるスレーブ装置と無線通信を行う無線ＬＡＮモジュールと、複数のトラックを個別に録音して記録媒体に記録する録音手段と、前記マスタ装置からのコマンドに応じて、前記記録媒体に記録された複数のトラックを含むオーディオ信号のうちの第１のトラックを再生して前記マスタ装置に無線送信し、前記第１のトラックを再生している間に、前記スレーブ装置からのコマンドに応じて前記オーディオ信号のうち前記第１のトラックとは異なる第２のトラックを再生して前記スレーブ装置に無線送信する処理手段とを備えることを特徴とする。
【００１３】
本発明の１つの実施形態では、前記処理手段は、前記スレーブ装置からのコマンドが再生開始コマンドである場合に、前記マスタ装置からのコマンドに応じて前記オーディオ信号が再生され無線送信されているときに前記オーディオ信号を前記スレーブ装置に無線送信する。
【００１４】
本発明の他の実施形態では、前記処理手段は、前記マスタ装置からのコマンドが再生停止コマンドである場合に、前記オーディオ信号の再生を停止し、前記スレーブ装置からのコマンドが再生停止コマンドである場合でもそのコマンドを無効とする。
【００１５】
本発明のさらに他の実施形態では、前記処理手段は、前記マスタ装置からのコマンドに応じて記録媒体に記録された３トラック以上のオーディオ信号を再生して無線送信する。
【００１６】
また、本発明は、録音再生装置と、携帯機器であるマスタ装置と、携帯機器であるスレーブ装置からなる共聴システムであって、前記録音再生装置は、前記マスタ装置及び前記スレーブ装置と無線通信を行う無線ＬＡＮモジュールと、複数のトラックを個別に録音して記録媒体に記録する録音手段と、前記マスタ装置からのコマンドに応じて、前記記録媒体に記録された複数のトラックを含むオーディオ信号のうちの第１のトラックを再生して前記マスタ装置に無線送信し、前記第１のトラックを再生している間に、前記スレーブ装置からのコマンドに応じて前記オーディオ信号のうち前記第１のトラックとは異なる第２のトラックを再生して前記スレーブ装置に無線送信する処理手段と、を備え、前記マスタ装置及び前記スレーブ装置は、それぞれ、マスタ装置であるかスレーブ装置であるかの識別情報を送信する送信手段と、前記録音再生装置から無線送信された前記オーディオ信号を受信して再生する再生手段とを備えることを特徴とする。
【発明の効果】
【００１７】
本発明によれば、スマートフォン等の携帯機器を用いて簡易に複数人でオーディオ信号を共聴できる。また、再生装置で３チャンネル以上の複数チャンネルのオーディオ信号を再生し無線送信することで、各人が所望のチャンネルのオーディオ信号を聴くことができる。
【図面の簡単な説明】
【００１８】
【図１】実施形態のシステム構成図である。
【図２】実施形態の処理フローチャートである。
【図３】実施形態の録音再生装置の構成ブロック図である。
【発明を実施するための形態】
【００１９】
以下、図面に基づき本発明の実施形態について、再生装置として録音及び再生機能を備える録音再生装置を例にとり説明する。但し、本発明において録音機能は必ずしも必須ではない。
【００２０】
図１は、本実施形態のシステム構成図である。録音再生装置１０は、無線接続機能を備えた携帯機器と無線接続する。本実施形態では、無線接続機能を備えた携帯機器としてスマートフォン１２を例示し、無線接続として無線ＬＡＮ、より特定的にはＷｉ−Ｆｉ接続を例示する。Ｗｉ−Ｆｉモジュールを備えたスマートフォンは公知であり、無線ルータ等のアクセスポイントを介してインターネットに接続し得る。
【００２１】
録音再生装置１０は、公知の録音再生機能を備え、内蔵マイク２２やライン入力端子２４から入力されたオーディオ信号を処理してＳＤカード等の記録媒体に記録し、かつ、ＳＤカードに記録されたオーディオ信号を再生して内蔵スピーカから出力する。また、録音再生装置１０は、Ｗｉ−Ｆｉモジュールを備え、複数のスマートフォン１２ａ，１２ｂ，１２ｃとの間でＷｉ−Ｆｉ接続する。図１では、録音再生装置１０と３台のスマートフォン１２ａ、１２ｂ、１２ｃが接続されているが、２台あるいは４台以上であってもよい。Ｗｉ−Ｆｉルータ等のアクセスポイントに複数の携帯機器が無線接続される技術は公知である。
【００２２】
録音再生装置１０のユーザは、所望の楽曲パートを演奏し、所望のオーディオ信号を録音再生装置１０の内蔵マイク２２あるいはライン入力端子２４に入力して録音することができる。図では、所望の楽曲パートとしてギター等の楽器１４のパートが示されているが、これ以外の任意のパート、例えばベースパート、ヴォーカルパート、ドラムパート等でもよい。録音再生装置１０は、楽器１４により生成されたオーディオ信号を入力してＳＤカード等の記録媒体に記録して録音する。録音再生装置１０は、ＭＴＲ（マルチトラックレコーダ）であってもよく、この場合には複数のトラックのそれぞれに楽曲パートを録音できる。例えば、第１トラックにヴォーカルパート、第２トラックにギターパート、第３トラックにベースパート、第４トラックにドラムパートを録音する等である。これらのトラックに録音されたオーディオ信号は、必要において２チャンネルのステレオオーディオ信号にミックスダウンされて出力される。
【００２３】
なお、これらのトラックに録音されたオーディオ信号をミックスダウンすることなく、そのまま４チャンネル信号として出力することもできる。これについてはさらに後述する。
【００２４】
スマートフォン１２ａ，１２ｂ，１２ｃは、Ｗｉ−Ｆｉモジュールを備え、録音再生装置１０とそれぞれＷｉ−Ｆｉ接続する。ユーザは、スマートフォン１２ａ，１２ｂ，１２ｃにインストールされた所定のアプリケーション（録音再生装置１０の監視や制御に必要なアプリケーション）を起動し、このアプリケーションを操作して、録音再生装置１０の動作を制御する。
【００２５】
録音再生装置１０は、スマートフォン１２ａ，１２ｂ，１２ｃからＷｉ−Ｆｉを介して送信された各種コマンドを処理し、このコマンドに応じて録音あるいは再生を実行する。このとき、録音再生装置１０は、コマンドを送信したスマートフォン１２ａ，１２ｂ，１２ｃが、マスタ装置として機能するかスレーブ装置として機能するかを判定し、この判定結果に応じた処理を実行する。
【００２６】
すなわち、コマンドを送信したスマートフォンがマスタ装置として機能するのであれば、受信したコマンドに応じて録音開始や停止、再生開始や停止を実行する。例えばコマンドが再生開始コマンドであれば、録音再生装置１０はコマンドに応じてＳＤカード等の記録媒体に記録されたオーディオ信号を再生し、Ｗｉ−Ｆｉ接続を介して当該スマートフォンに再生したオーディオ信号を送信する。他方、コマンドを送信したスマートフォンがスレーブ装置として機能するのであれば、受信したコマンドのうち、再生コマンドのみを有効なコマンドとして解釈し、既に再生したオーディオ信号をマスタ装置に加えて当該スマートフォンにも送信する。
【００２７】
スマートフォン１２ａ，１２ｂ，１２ｃがマスタ装置として機能するかスレーブ装置として機能するかは、いくつかの方法で設定できる。第１の方法は、接続順位に基づく優先設定方法であり、最初に録音再生装置１０とＷｉ−Ｆｉ接続したスマートフォンをマスタ装置とし、その後に録音再生装置１０とＷｉ−Ｆｉ接続したスマートフォンをスレーブ装置とする等である。第２の方法は、接続機器の設定情報に基づく固有設定方法であり、Ｗｉ−Ｆｉ接続された複数のスマートフォン１２ａ，１２ｂ，１２ｃの中で特定のスマートフォンをマスタ装置とし、それ以外のスマートフォンをスレーブ装置とする等である。スマートフォン１２ａ，１２ｂ，１２ｃにインストールされたアプリケーションにおいてマスタ装置として機能するかスレーブ装置として機能するかを選択するメニューを表示し、ユーザがマスタ装置を選択した場合にその旨の識別情報を録音再生装置１０に送信することでマスタ装置として認識され、ユーザがスレーブ装置を選択した場合にその旨の識別情報を録音再生装置１０に送信することでスレーブ装置として認識される等である。
【００２８】
図１において、まずスマートフォン１２ａが最初に録音再生装置１０にＷｉ−Ｆｉ接続してマスタ装置として認識され、その後にスマートフォン１２ｂ，１２ｃが録音再生装置１０にＷｉ−Ｆｉ接続してスレーブ装置として認識されたものとする。
【００２９】
録音再生装置１０は、スマートフォン１２ａからのコマンドに応じて録音開始や停止、再生開始や停止を実行する。スマートフォン１２ａから所望のオーディオ信号（録音中のオーディオ信号を含めてもよい）の再生開始コマンドを受信した場合、そのオーディオ信号を記録媒体から読み出して再生し、Ｗｉ−Ｆｉ接続を介してスマートフォン１２ａにオーディオ信号を送信する。スマートフォン１２ａは、録音再生装置１０から送信されたオーディオ信号を受信し、所定のアプリケーション（録音再生装置１０から出力されるオーディオ信号を受聴するために必要なアプリケーション）でオーディオ信号を再生する。
【００３０】
また、録音再生装置１０は、スマートフォン１２ｂから録音開始コマンドや停止コマンド、再生停止コマンドを受信しても、スマートフォン１２ｂがスレーブ装置として機能すると判定し、これらのコマンドを無効とする。すなわち、コマンドに応じた実行は行わない。但し、スマートフォン１２ｂから再生開始コマンドを受信し、かつ、既にマスタ装置として機能するスマートフォン１２ａからのコマンドに応じてオーディオ信号を再生し、当該オーディオ信号をＷｉ−Ｆｉ接続を介してスマートフォン１２ａに送信している場合には、その条件が満たされていることを前提として、同一オーディオ信号をＷｉ−Ｆｉ接続を介してスマートフォン１２ｂにも送信する。スマートフォン１２ｂは、録音再生装置１０から送信されたオーディオ信号を受信し、所定のアプリケーションでオーディオ信号を再生する。従って、スマートフォン１２ｂのユーザは、スマートフォン１２ａのユーザと同一オーディオ信号を再生して聴くことができる。
【００３１】
また、録音再生装置１０は、スマートフォン１２ｃから録音開始コマンドや停止コマンド、再生停止コマンドを受信しても、スマートフォン１２ｃがスレーブ装置として機能すると判定し、これらのコマンドを無効とする。すなわち、コマンドに応じた実行は行わない。但し、スマートフォン１２ｃから再生開始コマンドを受信し、かつ、既にマスタ装置として機能するスマートフォン１２ａからのコマンドに応じてオーディオ信号を再生し、当該オーディオ信号をＷｉ−Ｆｉ接続を介してスマートフォン１２ａに送信している場合には、その条件が満たされていることを前提として、同一オーディオ信号をＷｉ−Ｆｉ接続を介してスマートフォン１２ｃにも送信する。スマートフォン１２ｃは、録音再生装置１０から送信されたオーディオ信号を受信し、所定のアプリケーションでオーディオ信号を再生する。従って、スマートフォン１２ｃのユーザも、スマートフォン１２ｂのユーザと同様に、スマートフォン１２ａのユーザと同一オーディオ信号を再生して聴くことができる。
【００３２】
図２は、本実施形態の録音再生装置１０での処理フローチャートである。
【００３３】
まず、録音再生装置１０は、スマートフォン１２ａ，１２ｂ，１２ｃとＷｉ−Ｆｉ接続する（Ｓ１０１）。すなわち、録音再生装置１０のＷｉ−Ｆｉボタンあるいはアイコンを操作してＷｉ−Ｆｉモジュールを起動する。他方、ユーザは、スマートフォン１２ａ，１２ｂ，１２ｃ側のＷｉ−Ｆｉボタンを操作してＷｉ−Ｆｉモジュールを起動する。スマートフォン１２ａ，１２ｂ，１２ｃで録音再生装置１０を検出し、録音再生装置１０の無線ＬＡＮにおけるアクセスポイントの識別名であるＳＳＩＤが表示されたときに、これに対応するパスワードをそれぞれ入力してＷｉ−Ｆｉ接続を確立する。なお、パスワードは、録音再生装置１０の表示部にそれぞれ表示してユーザに視認させてもよい。また、スマートフォン１２と録音再生装置１０との接続は、ＮＦＣ（Near Field Communication）技術を使用して確立させるようにしてもよい。
【００３４】
録音再生装置１０は、スマートフォン１２ａ，１２ｂ，１２ｃとの間にＷｉ−Ｆｉ接続を確立すると、接続されたスマートフォンがマスタ装置として機能するか、スレーブ装置として機能するかを判定する（Ｓ１０２）。いま、仮に、スマートフォン１２ａがマスタ装置、スマートフォン１２ｂ，１２ｃがスレーブ装置であるとする。
【００３５】
録音再生装置１０は、マスタ装置であるスマートフォン１２ａからコマンドを受信すると（Ｓ１０３）、このコマンドに応じた処理を実行する。例えば再生の場合には、コマンドが再生開始コマンドであるか再生停止コマンドであるかを判定し（Ｓ１０４）、再生開始コマンドであれば該当するオーディオ信号をＳＤカード等の記録媒体から読み出して再生し（Ｓ１０５）、Ｗｉ−Ｆｉモジュールからスマートフォン１２ａに対して再生したオーディオ信号を送信する（Ｓ１０６）。また、コマンドが再生停止コマンドであればオーディオ信号の再生を停止し、送信も停止する（Ｓ１０７）。Ｓ１０６における再生オーディオ信号の送信処理後、及びＳ１０７における停止処理後は、Ｓ１０２に移行し、コマンド待機状態に移行する。
【００３６】
他方、録音再生装置１０は、スレーブ装置であるスマートフォン１２ｂ，１２ｃからコマンドを受信すると（Ｓ１０８）、そのコマンドが再生開始コマンドである場合のみ有効とし、既にマスタ装置であるスマートフォン１２ａからのコマンドによりオーディオ信号を再生して送信しているか否かを判定し、送信していれば同一オーディオ信号をスマートフォン１２ｂ，１２ｃにも送信する（Ｓ１０６）。なお、スマートフォン１２ａからの再生開始コマンドの前にスマートフォン１２ｂ，１２ｃから再生開始コマンドを受信しても、録音再生装置１０はこのコマンドを無効として再生を開始しない。
【００３７】
録音再生装置１０は、マスタ装置であるスマートフォン１２ａからのコマンドに応じてオーディオ信号を再生して送信するが、この際に、複数のトラックにオーディオ信号が記録されている場合には、Ｌチャンネル及びＲチャンネルにミックスダウンして送信する他、複数のトラックをそのままマルチチャンネルとして送信してもよい。そして、後者の場合、スマートフォン１２ａ，１２ｂ，１２ｃ毎に再生すべきトラック（チャンネル）を選択して再生してもよい。
【００３８】
具体的には、マスタ装置であるスマートフォン１２ａからのコマンドに応じ、録音再生装置１０は、３チャンネル以上のマルチチャンネル、例えば４チャンネルのオーディオ信号として再生してスマートフォン１２ａに送信する。４チャンネルのオーディオ信号が、
第１チャンネル・・・ヴォーカルパートのオーディオ信号
第２チャンネル・・・ギターパートのオーディオ信号
第３チャンネル・・・ベースパートのオーディオ信号
第４チャンネル・・・ドラムパートのオーディオ信号
から構成されているものとし、スマートフォン１２ａにインストールされた所定のアプリケーションでは、スマートフォン１２ａのユーザ操作に応じ、４チャンネルのオーディオ信号のうち、特定のチャンネル、例えば第１チャンネルのヴォーカルパートのオーディオ信号のみを選択的に再生する。
【００３９】
次に、スレーブ装置であるスマートフォン１２ｂからのコマンドに応じ、録音再生装置１０は、スマートフォン１２ａと同じ４チャンネルのオーディオ信号をスマートフォン１２ｂに送信する。但し、スマートフォン１２ｂにインストールされた所定のアプリケーションは、スマートフォン１２ｂのユーザ操作に応じ、４チャンネルのオーディオ信号のうち、別のチャンネル、例えば第２チャンネルのギターパートのオーディオ信号のみを選択的に再生することも可能である。
【００４０】
さらに、スレーブ装置であるスマートフォン１２ｃからのコマンドに応じ、録音再生装置１０は、スマートフォン１２ａと同じ４チャンネルのオーディオ信号をスマートフォン１２ｃに送信する。但し、スマートフォン１２ｃにインストールされた所定のアプリケーションは、スマートフォン１２ｃのユーザ操作に応じ、４チャンネルのオーディオ信号のうち、別のチャンネル、例えば第３チャンネルのベースパート及び第４チャンネルのドラムパートのオーディオ信号のみを選択的に再生することも可能である。
【００４１】
このように、同一のオーディオ信号を録音再生装置１０から送信しても、マルチチャンネルのオーディオ信号として送信することで、スマートフォン１２ａ，１２ｂ，１２ｃでそれぞれ別のオーディオ信号を聴くことができ、複数のユーザの多様なニーズに応えることができる。
【００４２】
なお、本実施形態では、録音再生装置１０は、スレーブ装置として機能するスマートフォン１２ｂ，１２ｃから受信したコマンドのうち、再生開始コマンドのみを特定の条件が成立していることを前提として有効とし、それ以外のコマンドを無効としているが、他のスマートフォン、特にマスタ装置として機能するスマートフォン１２ａにおけるオーディオ信号の再生に影響を与えないコマンドを有効としてもよく、例えば録音再生装置１０のディスプレイのオン／オフを制御するコマンドを有効として当該処理を実行してもよい。
また、各スマートフォン１２ａ，１２ｂ，１２ｃにおいてバッファメモリを備え、受信したオーディオ信号をバッファメモリに格納して再生する場合、コマンドを送信することなく各スマートフォン１２ａ，１２ｂ，１２ｃの所定のアプリケーション内での処理により所定時間（例えば３秒）の巻き戻し再生も可能である。
【００４３】
本実施形態では、スマートフォン１２ａ，１２ｂ，１２ｃのいずれかをマスタ装置とし、その他をスレーブ装置として認識しているが、全てのスマートフォン１２ａ，１２ｂ，１２ｃをマスタ装置として認識し、各スマートフォン１２ａ，１２ｂ，１２ｃから送信されたコマンドに応じて録音・再生処理を実行することも可能である。但し、各コマンドが互いに矛盾あるいは干渉しないような処理が必要であろう。例えば、あるオーディオ信号が再生中である場合にそのオーディオの再生開始を指示したスマートフォン以外のコマンドを無効とし、オーディオ信号の再生が完了した後に受信したコマンドを有効とする等である。
【００４４】
次に、本実施形態における録音再生装置１０の具体的な構成について説明する。
【００４５】
図３は、本実施形態の録音再生装置１０の構成ブロック図である。録音再生装置１０は、Ｗｉ−Ｆｉモジュール２０、内蔵マイク２２、ライン入力端子２４、内蔵スピーカ３０、ディスプレイ３２、ＬＥＤ３３、操作ボタン３４、システムコントローラ３６、及びＳＤコネクタ４２を備える。
【００４６】
Ｗｉ−Ｆｉモジュール２０は、無線ＬＡＮモジュールであり、スマートフォン１２とのＷｉ−Ｆｉ接続及びデータ送受を行うモジュールである。Ｗｉ−Ｆｉモジュール２０は、操作ボタン３４の操作に応じて起動し、スマートフォン１２とのＷｉ−Ｆｉ接続を確立する。また、Ｗｉ−Ｆｉモジュール２０は、スマートフォン１２からコマンドを受信し、受信したコマンドをシステムコントローラ３６に供給する。また、Ｗｉ−Ｆｉモジュール２０は、システムコントローラ３６から供給されたステータス情報をスマートフォン１２に送信してもよい。
【００４７】
内蔵マイク２２は、Ｒチャンネル及びＬチャンネルのステレオマイクであり、演奏された楽器等のオーディオ信号を入力し、インタフェース（Ｉ／Ｆ）２６に出力する。
【００４８】
ライン入力端子２４は、外部機器からのオーディオ信号をライン入力し、インタフェース（Ｉ／Ｆ）２６に出力する。
【００４９】
インタフェース（Ｉ／Ｆ）２６は、内蔵マイク２２あるいはライン入力端子２４からのオーディオ信号をコーデック（ＣＯＤＥＣ）２８に出力する。
【００５０】
コーデック（ＣＯＤＥＣ）２８は、入力されたオーディオ信号をデジタル信号に変換し、圧縮及び符号化してシステムコントローラ３６に供給する。また、システムコントローラ３６から供給されたオーディオ信号を伸長及び復号化し、アナログオーディオ信号に変換して内蔵スピーカ３０から出力する。コーデック（ＣＯＤＥＣ）２８は、内蔵マイク２２あるいはライン入力端子２４からのオーディオ信号を処理するモジュールと、内蔵スピーカ３０に出力するオーディオ信号を処理するモジュールに分離していてもよい。
【００５１】
ディスプレイ３２は、ＬＣＤパネルあるいは有機ＥＬパネル等から構成され、録音再生装置１０の各種ステータス情報、例えば録音／再生のタイムカウンタや録音レベルを表示する。ディスプレイ３２は、システムコントローラ３６からの制御信号により、点灯状態あるいは消灯状態に移行してもよい。
【００５２】
ＬＥＤ３３は、Ｗｉ−Ｆｉモジュール２０の起動状態や接続状態を示す。ＬＥＤ３３は、Ｗｉ−Ｆｉモジュールがオフでは消灯状態、Ｗｉ−Ｆｉモジュール２０がオンでは点滅状態（スタンバイ状態）、Ｗｉ−Ｆｉモジュール２０がオンであり、かつＷｉ−Ｆｉ接続状態で点灯状態に移行する。
【００５３】
操作ボタン３４は、録音再生装置１０の動作を指示するボタンである。操作ボタン３４には、Ｗｉ−Ｆｉのオン／オフを切り替えるＷｉ−Ｆｉボタン、録音／再生／停止ボタン、録音レベル調整ボタン、トラック選択ボタン等が含まれる。操作ボタン３４をジョグダイヤルやディスプレイ３２上のタッチボタンとして構成してもよい。録音再生装置１０とスマートフォン１２がＷｉ−Ｆｉ接続され、スマートフォン１２のアプリケーションで録音再生装置１０の動作を制御可能であっても、これらの操作ボタン３４は引き続き有効（アクティブ状態）に設定される。すなわち、システムコントローラ３６は、スマートフォン１２からのコマンドを解釈するとともに、操作ボタン３４からの指示も同時に受け付ける。
【００５４】
システムコントローラ３６は、プロセッサ及びメモリで構成され、録音再生装置１０の各部を制御する。システムコントローラ３６は、ＲＯＭ３８に記録された処理プログラムに従い、ＲＡＭ４０をワーキングメモリとして用いて各種処理を実行する。各種処理には、Ｗｉ−Ｆｉモジュール２０の起動／オフ、スマートフォン１２との接続確立、内蔵マイク２２あるいはライン入力端子２４から入力されたオーディオ信号の処理、当該オーディオ信号のＳＤカードへの記録、当該オーディオ信号の再生、ディスプレイ３２の点灯／消灯制御、ＬＥＤ３３の点灯／点滅／消灯、操作ボタン３４の操作に対する処理等が含まれる。システムコントローラ３６は、複数のプロセッサを備えていてもよく、ＰＬＤ（プログラマブルロジックデバイス）と協働してもよい。
【００５５】
ＳＤコネクタ４２には、ＳＤカードが装着される。システムコントローラ３６は、オーディオ信号をＳＤカードに記録することで録音する。また、ＳＤカードに記録されているオーディオ信号を読み出し、コーデック（ＣＯＤＥＣ）２８を介して内蔵スピーカ３０から出力する。
【００５６】
システムコントローラ３６は、操作ボタン３４の操作に応じてＷｉ−Ｆｉモジュール２０を起動する。Ｗｉ−Ｆｉモジュール２０でスマートフォン１２のＷｉ−Ｆｉ接続が確立すると、システムコントローラ３６は、スマートフォン１２からコマンドを受信し、コマンドに応じた録音開始、録音停止、あるいは再生開始等を実行する。
【００５７】
システムコントローラ３６は、Ｗｉ−Ｆｉ接続された複数のスマートフォンのいずれかをマスタ装置とし、その他をスレーブ装置として認識する。スマートフォン１２ａから送信されたマスタ／スレーブ識別情報等を用いてスマートフォン１２ａをマスタ装置として認識すると、その旨のフラグをスマートフォン１２ａのＩＤとともにＲＡＭ４０に格納する。また、スマートフォン１２ｂ，１２ｃから送信されたマスタ／スレーブ識別情報等を用いてスマートフォン１２ｂ，１２ｃをスレーブ装置として認識すると、その旨のフラグをスマートフォン１２ｂ，１２ｃのＩＤとともにＲＡＭ４０に格納する。スマートフォン１２ａからのコマンドを受信すると、ＲＡＭ４０に格納されているフラグを用いてマスタ装置のコマンドであるかスレーブ装置のコマンドであるかを判定し、コマンドを有効あるいは無効とする。
【００５８】
以上のように、本実施形態によれば、録音再生装置１０と複数のスマートフォン１２ａ，１２ｂ，１２ｃをＷｉ−Ｆｉ接続することで、複数人で録音再生装置１０に録音されているオーディオ信号を簡易かつ手軽に共聴できる。また、録音再生装置１０からマルチチャンネルでオーディオ信号を送信し、各スマートフォン１２ａ，１２ｂ，１２ｃで再生すべきチャンネルを選択再生することで、所望のオーディオ信号のみを聴くことができる。
【００５９】
本実施形態では、無線接続としてＷｉ−Ｆｉ接続を例示したが、ブルートゥース（登録商標）等を用いてもよい。
【００６０】
また、本実施形態において、録音再生装置１０からスマートフォン１２ａ，１２ｂ，１２ｃに対し、接続されているスマートフォンの一覧リストを作成してＷｉ−Ｆｉ接続を介して送信してもよい。各スマートフォン１２ａ，１２ｂ，１２ｃの所定のアプリケーションは、この一覧リストを受信して画面上に表示する。ユーザは、この画面を視認することで、どのスマートフォンが録音再生装置１０に接続しているかを確認することができる。一覧リストにおいて、マスタ装置として機能しているスマートフォンを特定して表示すると好適であり、一覧リストにおいて、マスタ装置として機能するスマートフォンを変更可能とすることも好適である。
【００６１】
また、録音再生装置１０を複数設け、スレーブ装置として機能するスマートフォンがいずれかの録音再生装置１０にＷｉ−Ｆｉ接続することで、録音再生装置１０で再生されているオーディオ信号を選択的に切り替えて聴くこともできる。
【００６２】
また、本実施形態において、複数のスマートフォンのいずれかをマスタ装置とし、その他をスレーブ装置として認識する第１のモードと、全てのスマートフォンをマスタ装置として認識する第２のモードを切替可能としてもよい。但し、既述したように、第２のモードの場合には各スマートフォンからの各コマンドが互いに矛盾あるいは干渉しないような処理が必要である。この場合、優先的に処理されるコマンドの送信元をマスタ装置、それ以外の送信元をスレーブ装置として解釈することも可能である。
【符号の説明】
【００６３】
１０  録音再生装置、１２ａ，１２ｂ，１２ｃ  スマートフォン、１４  楽器、２０  Ｗｉ−Ｆｉモジュール、２２  内蔵マイク、２４  ライン入力端子、３０  内蔵スピーカ、３２  ディスプレイ、３３  ＬＥＤ、３４  操作ボタン、３６  システムコントローラ、４２  ＳＤコネクタ。
【図１】
2019215579.tif 000003
【図２】
2019215579.tif 000004
【図３】
2019215579.tif 000005